(57)【要約】  【課題】  配管の保持固定を、見栄え良く容易に行うことができ、配管の増設にも対応が可能な配管化粧カバーを提供する。  【解決手段】  天井面１２に取り付けられる配管保持用基板２１と、配管保持用基板２１の室内側を覆うように配管保持用基板２１の下部に着脱可能に取り付けられるカバー部材３１とで配管化粧カバー１１を構成する。配管保持用基板２１は、下面に突設して配管を保持する複数の配管ホルダ２２，２３，２４と、配管延設方向を除く配管保持用基板２１の各辺に設けた係合片２５とを有する。カバー部材３１は、配管保持用基板２１に対応した形状を有するカバー本体３２と、配管延設方向を除くカバー本体周囲の各辺から上方に突出した側板３３と、側板３３の突出端に設けられて前記係合片に係合する係合部３４とを有する。【選択図】  図１
2006328743.tif 000002
【特許請求の範囲】
【請求項１】
天井に敷設される配管を覆うための配管化粧カバーであって、天井下面に取り付けられる配管保持用基板と、該配管保持用基板の室内側を覆うように配管保持用基板の下部に着脱可能に取り付けられるカバー部材とを有し、前記配管保持用基板は、下面に突設して配管を保持する複数の配管ホルダと、配管延設方向を除く前記配管保持用基板の各辺に設けた係合片とを有し、前記カバー部材は、前記配管保持用基板に対応した形状を有するカバー本体と、配管延設方向を除くカバー本体周囲の各辺から上方に突出した側板と、該側板の突出端に設けられて前記係合片に係合する係合部とを有することを特徴とする配管化粧カバー。
【請求項２】
前記配管ホルダは、一対の円弧状保持部の凹部を対向させて下部が開口したリング状に形成されるとともに、前記配管保持用基板に、円弧状保持部の内径が異なる複数の配管ホルダを突設したことを特徴とする請求項１記載の配管化粧カバー。
【発明の詳細な説明】
【技術分野】
【０００１】
本発明は、配管化粧カバーに関し、詳しくは、天井に敷設される配管を覆う配管化粧カバーに関する。
【背景技術】
【０００２】
既設住宅に給水、給湯配管を新たに設置する場合、従来は天井裏や床下に設置するようにしていたが、大掛かりな工事を必要とするため、近年は、天井に配管を敷設するとともに、配管の周囲を化粧カバーで覆うことにより、工事の簡略化と見栄えの向上とを図ることが行われている（例えば、特許文献１参照。）。
【特許文献１】特開平１０−６０９６２号公報
【発明の開示】
【発明が解決しようとする課題】
【０００３】
しかし、従来の配管化粧カバーは、配管の固定とは別に化粧カバーを木ねじ等で壁面や天井面に取り付けるようにしているため、工事が二度手間になっている。また、その後の配管の増設には対応することができなかった。
【０００４】
そこで本発明は、配管の保持固定を容易に見栄え良く行うことができ、配管の増設にも対応が可能な配管化粧カバーを提供することを目的としている。
【課題を解決するための手段】
【０００５】
上記の目的を達成するため本発明は、天井に敷設される配管を覆うための配管化粧カバーであって、天井下面に取り付けられる配管保持用基板と、該配管保持用基板の室内側を覆うように配管保持用基板の下部に着脱可能に取り付けられるカバー部材とを有し、前記配管保持用基板は、下面に突設して配管を保持する複数の配管ホルダと、配管延設方向を除く前記配管保持用基板の各辺に設けた係合片とを有し、前記カバー部材は、前記配管保持用基板に対応した形状を有するカバー本体と、配管延設方向を除くカバー本体周囲の各辺から上方に突出した側板と、該側板の突出端に設けられて前記係合片に係合する係合部とを有することを特徴とし、特に、前記配管ホルダは、一対の円弧状保持部の凹部を対向させて下部が開口したリング状に形成されるとともに、前記配管保持用基板に、円弧状保持部の内径が異なる複数の配管ホルダを突設したことを特徴としている。
【発明の効果】
【０００６】
本発明の配管化粧カバーは、配管保持用基板を天井の下面にねじやボルト等で固定しておき、配管ホルダに所定の配管を保持させた後、配管保持用基板にカバー部材を係合させることにより、天井に敷設された配管の外側を見栄え良く覆うことができる。さらに、配管を増設する必要が生じたときにも、配管ホルダを余分に設けておくことにより、カバー部材を配管保持用基板から取り外すことによって容易に行うことができる。
【発明を実施するための最良の形態】
【０００７】
図は本発明の配管化粧カバーの一形態例を示すもので、図１は配管化粧カバーの取付状態を示す正面図、図２は同じく一部断面底面図、図３は配管保持用基板の底面図、図４は同じく正面図、図５はカバー部材の正面図、図６は同じく一部断面正面図、図７は同じく一部断面側面図である。
【０００８】
この配管化粧カバー１１は、天井面１２に固定される配管保持用基板２１と、この配管保持用基板２１に着脱可能に取り付けられるカバー部材３１とで形成されている。
【０００９】
配管保持用基板２１は、矩形の板材で形成され、下面長手方向に２つ１組の配管ホルダ２２，２３，２４がそれぞれ平行に突設されるとともに、配管延設方向の開口部形成辺２１ａ，２１ａを除く配管保持用基板２１の長辺側からそれぞれ係合片２５が外側に突設され、また、天井面１２に固着するためのネジやボルト２６を挿通するための通孔２１ｂが複数箇所に設けられている。係合片２５は、配管保持用基板２１の板厚中間部から下面に向けて断面三角形状に形成され、上面は平面状に形成されている。
【００１０】
各配管ホルダ２２は、一対の円弧状保持部２２ａ，２２ａの凹部を対向させて下部が開口したリング状に形成したものであって、一対の円弧状保持部２２ａ，２２ａの凹部を対向させて下部が開口したリング状に形成し、上部に配管保持用基板２１への取付片２２ｂを備え、該取付片２２ｂを介して配管保持用基板２１に取り付けられている。各配線ホルダ２３，２４は、一対の円弧状保持部２３ａ，２３ａ，２４ａ，２４ａが、配管保持用基板２１に直接取り付けられたもので、前記円弧状保持部２２ａ，２２ａと同様に下部が開口したリング状に形成され、円弧状保持部２４ａ，２４ａの凹部の内径は、前記円弧状保持部２２ａ，２２ａ，２３ａ，２３ａの凹部の内径よりも小さく形成されている。
【００１１】
各配管ホルダ２２，２３，２４には、各円弧状保持部２２ａ，２３ａ，２４ａの弾性変形を利用して下部開口から配管１４ａ，１４ｂ，１４ｃがそれぞれ挿入され、円弧状保持部２２ａ，２３ａ，２４ａの弾性によって各配管１４ａ，１４ｂ，１４ｃを保持できるようにしている。配管ホルダ２２，２３，２４には、異なる外径を有する配管がそれぞれ保持され、取付片２２ｂを備えた大径の配管ホルダ２２には電気配線用の配管やガス管等の配管１４ａが、取付片を持たない大径の配管ホルダ２３には給水・給湯用の配管１４ｂが、小径の配管ホルダ２４にはランケーブル等を収容する配管１４ｃが保持される。
【００１２】
カバー部材３１は、配管保持用基板２１と略同一の矩形に形成されたカバー本体３２と、配管延設方向の開口部形成辺３２ａ，３２ａを除くカバー本体周囲の各辺から上方に、配管１４ａ，１４ｂ，１４ｃを十分に覆える高さに突出した側板３３と、該側板３３の突出端に設けられた係合部３４とを有している。側板３３は、上部側に前記係合片２５に係合するＶ字状の係合溝３３ａが形成されている。また、開口部形成辺３２ａ，３２ａには、配管延長方向に、同様の配管化粧カバー１１を見栄えよく連結させるための連結用突部３２ｂと連結用凹部３２ｃとが形成されている。
【００１３】
このように形成した配管化粧カバー１１を使用して天井部分に配管１４ａ，１４ｂ，１４ｃを敷設するには、まず、天井面１２に配管保持用基板２１をネジやボルト２６で天井面１２に固着する。次に、各配管１４ａ，１４ｂ，１４ｃを各円弧状保持部２３ａ，２４ａ，２５ａ間にそれぞれ挿入し、１組の両配管ホルダ２２，２３，２４によって各配管１４ａ，１４ｂ，１４ｃを平行に保持する。各配管１４ａ，１４ｂ，１４ｃは、その外径に応じて、最適な内径を有する配管ホルダ２２，２３，２４に保持させることができるので、各配管１４ａ，１４ｂ，１４ｃを確実に保持させることができる。
【００１４】
そして、カバー部材３１を下方から配管保持用基板２１に押し付け、側板３３の係合溝３３ａ内に係合片２５を挿入して、カバー部材３１を配管保持用基板２１の下部に装着し、配管１４ａ，１４ｂ，１４ｃを配管化粧カバー１１内に収納した状態とする。また、配管化粧カバー１１の両側配管延長方向に、同様の配管化粧カバーや天井面の入隅部や出隅部に沿って形成された配管化粧カバーを連結させることもでき、天井に沿って敷設される配管１４ａ，１４ｂ，１４ｃを配管化粧カバー１１によって覆うことができ、外観も良好なものとすることができる。
【００１５】
さらに、配管ホルダ２２，２３，２４を、予備を含めて多少多めに設けておくことにより、配管１４ａ，１４ｂ，１４ｃの増設も容易に行うことができる。また、係合溝３３ａと係合片２５との係合状態を解除すれば、配管保持用基板２１からカバー部材３１を簡単に取り外すことができる。
【００１６】
そして、増設する配管を空いている配管ホルダに保持させた後、カバー部材３１を配管保持用基板２１に再び取り付けることにより、増設した配管も配管化粧カバー１１内に収納することができる。
【００１７】
上述のように、配管化粧カバー１１内への配管１４ａ，１４ｂ，１４ｃの敷設は、配管１４ａ，１４ｂ，１４ｃを各配管ホルダ２３，２４，２５に挿入するだけでよく、簡単な作業で配管１４ａ，１４ｂ，１４ｃの保持固定を行うことができるとともに、見栄えよく配管１４ａ，１４ｂ，１４ｃを天井に保持させることができる。また、各配管１４ａ，１４ｂ，１４ｃは、その外径に応じた内径を有する配管ホルダ２２，２３，２４に保持させるので、各配管１４ａ，１４ｂ，１４ｃを確実に保持させることができる。さらに、カバー部材３１を簡単に取り外すことができるので、配管の増設等も容易に行うことができる。
【図面の簡単な説明】
【００１８】
【図１】本発明の一形態例を示す配管化粧カバーの取付状態を示す正面図である。
【図２】同じく一部断面底面図である。
【図３】同じく配管保持用基板の底面図である。
【図４】同じく配管保持用基板の正面図である。
【図５】同じくカバー部材の正面図である。
【図６】同じくカバー部材の一部断面正面図である。
【図７】同じくカバー部材の一部断面側面図である。
【符号の説明】
【００１９】
１１…配管化粧カバー、１２…天井面、２１…配管保持用基板、２１ａ…開口部形成片、２１ｂ…通孔、２２，２３，２４…配管ホルダ、２２ａ，２３ａ，２４ａ…円弧状保持部、２２ｂ…取付片、２５…係合片、２６…ボルト、３１…カバー部材、３２…カバー本体、３２ａ…開口部形成片、３２ｂ…連結用突部、３２ｃ…連結用凹部、３３…側板、３４…係合部
【図１】
2006328743.tif 000003
【図２】
2006328743.tif 000004
【図３】
2006328743.tif 000005
【図４】
2006328743.tif 000006
【図５】
2006328743.tif 000007
【図６】
2006328743.tif 000008
【図７】
2006328743.tif 000009